(57)【特許請求の範囲】
【請求項１】
上部に軸孔が形成され、内部にガイドホールが形成され、顎骨に植え立てられる固定体；及び前記固定体の軸孔に挿入されて前記固定体と弾性的に結合される下部締結軸と補綴物が装着される上部装着部からなるアバットメント；を含む歯科用インプラントであって、
前記アバットメントの下部締結軸部に切開部によって複数の弾性脚が形成され、前記複数の弾性脚は、締結溝、締結突起または締結段部のような締結手段を備え、固定体の対応締結部に締結される弾性締結脚と前記締結手段を備えていない非締結支持脚との機能の相異なる二つの弾性脚を持ち、
前記非締結支持脚は前記弾性締結脚より短い長さに形成されていることを特徴とする、歯科用インプラント。
【請求項２】
前記非締結支持脚は前記弾性締結脚より薄い厚さに形成されていることを特徴とする、請求項１に記載の歯科用インプラント。
【請求項３】
前記弾性締結脚に形成された締結突起または締結溝のような締結手段は固定体の軸孔内側面の円周方向全域にわたって対応して形成された締結溝または締結突起のような対応締結部に結合されることにより、締結方向に関係なく装着可能であることを特徴とする、請求項１に記載の歯科用インプラント。
【発明の詳細な説明】
【技術分野】
【０００１】
本発明は、人工歯牙に関連した歯科用インプラントに係り、より詳しくは、固定体（ｆｉｘｔｕｒｅ）とアバットメント（ａｂｕｔｍｅｎｔ）が弾性結合される締結構造を持つ歯科用インプラントであって、固定体（ｆｉｘｔｕｒｅ）と結合されるアバットメント（ａｂｕｔｍｅｎｔ）の下部締結軸部に切開溝によって形成された多数の弾性脚の中で、締結突起、締結溝または締結段部のような締結手段が設けられた弾性締結脚、締結突起または締結溝または締結段部のような締結手段が設けられていない非締結支持脚とが一緒に形成された下部締結軸部を持つか、あるいは複数の弾性締結脚の締結手段の垂直位置が互いに異なることによって所要の反り許容空間の大きさを減らすことができ、従来技術による製品に比べて小径の固定体（ｆｉｘｔｕｒｅ）に締結されるアバットメント（ａｂｕｔｍｅｎｔ）の下部締結軸部に形成された弾性締結脚の厚さをより大きく確保するとか、あるいは弾性締結脚の一部区間に締結突起、締結溝または締結段部のような形態に形成される締結手段の大きさをもっと大きくして弾性締結脚の強度を大きく増大させて効果的な衝撃吸収機能及び耐久性を向上させるとか締結力を大きく高めて維持力を改善させ、従来の技術より小径の固定体を構成することができるので、薄い歯槽骨を持つ患者にも別の骨移植術の追加なしに容易にインプラント施術が行える歯科用インプラントに関する。
【背景技術】
【０００２】
一般に、インプラントは喪失された自然歯牙の代替物そのものを言うとか、固定体を顎骨（歯槽骨）に植え込んで所定期間の間に顎骨と融合するようにした後、その上に締結部材と人工歯牙などの補綴物を固定することにより、歯牙の固有機能を回復させる歯科的な施術を言う。
【０００３】
一般的に使われるインプラントの場合には、歯槽骨に植え立てられる固定体（ｆｉｘｔｕｒｅ）と、前記固定体の上部軸孔にアバットメントの締結部とが螺合方式で結合される。
【０００４】
しかし、このような従来のネジ式結合方式は、下部構造である固定体と上部構造であるアバットメントの結合が螺合にだけ寄り掛かるため、衝撃吸収機能が全くなくて、ネジの緩み、ネジの破切、補綴物の破切などの問題があった。
【０００５】
このような問題点を解消するために、大韓民国登録特許公報第１０−０６６８３６８号の“歯科用インプラント”は、図１に示したように、上部に軸孔１２が形成され、顎骨に植え立てられる固定体１０と、前記軸孔１２に挿入される形状記憶合金の締結脚２２が下部に形成され、前記締結脚２２を介して前記固定体１０に連結され、飲食物を噛むことができるようにするアバットメント２０とを含む歯科用インプラント１を提供している。
【０００６】
このような従来の歯科用インプラント１は、固定体１０の締結溝１４とアバットメント２０の締結突起２４が雄雌型に相補的に結合されることにより、ネジの緩み現象やネジの破裂現象を防止し、補綴物の美観を確保することができる効果を得ることができる。
【０００７】
しかし、このような従来の歯科用インプラント１、またはこのようにアバットメントの下部の弾性締結脚が固定体の軸孔の内部に挿入されるときに中心軸の方向に反ってから元の状態に戻りながら結合される弾性締結脚方式の歯科用インプラントにおいては、固定体１０が植え立てられる歯槽骨（ａｌｖｅｏｌａｒ ｂｏｎｅ）の厚さが薄い患者の場合、薄い歯槽骨に植え立てられる固定体１０の直径が小さくなる。このように固定体１０の直径が小さくなれば、内部の軸孔１２の内径が減少し、結果として前記軸孔１２に挿入されるアバットメント２０の下部締結軸の直径も小さくなる。
【０００８】
一方、このようなアバットメント２０において、複数の弾性締結脚２２を弾力的に固定体１０の内部軸孔１２に結合させるためには、図１に示したように、締結脚２２の間に切開溝２６を形成し、複数の締結脚２２の締結突起２４がそれぞれ固定体１０の軸孔１２の内部に挿入されて軸孔内側面に対応して形成された締結溝１４に締結されるためには、締結脚２２の反り許容空間Ｗを必ず設けなければならない。
【０００９】
ところで、前記のようにアバットメントの下部締結軸部の弾性締結脚に形成された締結突起のような締結手段は適切な締結力を確保するために最小限の大きさを確保しなければならなく、最小限の大きさが確保された締結手段が固定体（ｆｉｘｔｕｒｅ）の軸孔内部に締結されるために挿入されるときにアバットメントの下部締結軸部の締結脚が反れるためには、締結脚の間に設けられた締結脚の反り許容空間Ｗは、締結突起のような締結手段が固定体（ｆｉｘｔｕｒｅ）の軸孔内部に挿入されて締結されるように、充分に確保されなければならない。
【００１０】
しかし、このように前記アバットメント２０の下部締結軸部の直径が小さくなった場合には、弾性締結脚の反りを収容しなければならない反り許容空間Ｗの幅が締結手段の幅の和２Ｔよりは大きくなければならない。よって、適切な締結力を確保するための締結手段の幅Ｔを持てば、締結脚２２の間に必ず確保すべき最小限の反り許容空間Ｗの大きさも充分に確保しなければならないので、弾性締結脚２２の厚さを所望の大きさに確保することができない問題点が発生する。
【００１１】
すなわち、切開溝２６がなくては弾性締結脚２２の反りができないため、切開溝２６、つまり反り許容空間を一定の大きさに確保すれば、直径の小さい下部締結軸部においては相対的に弾性締結脚２２の厚さを適切に確保することができない問題点が生じる。
【００１２】
このように、締結脚２２が適切な厚さを確保しない場合は、図１に示したように、外部から横方向の外圧（Ｐ）がインプラントに加わる場合、アバットメント２０から伸びた締結脚２２の連結部品が構造的に脆弱になって亀裂ｋとなり、破損されるとか適切な維持力及び締結力を確保することができない状況がたびたび発生する。
【００１３】
このように、薄い歯槽骨に植え立てるための小径の固定体（ｆｉｘｔｕｒｅ）に締結される限定された小径のアバットメントの下部締結軸部構造においては、従来の技術によっては、十分な大きさの締結手段を形成することができるように反り許容空間を確保し、側方向の外圧を充分に耐え、適切な締結力を有するほどに弾性締結脚２２の厚さを充分に確保するように設計することができない問題点が発生した。
【発明の概要】
【発明が解決しようとする課題】
【００１４】
本発明の目的は前記のような従来の問題点を解消するためのもので、患者の歯茎骨（歯槽骨）の厚さが小さくて小径構造の固定体（ｆｉｘｔｕｒｅ）のインプラントを施術しなければならない場合、小径の固定体を使っても従来の構造によって具現された製品よりアバットメントの下部締結軸部に形成される弾性締結脚の厚さを大きく確保するとか締結突起、締結溝または締結段部のような締結手段の大きさをより大きく形成することができるので、人工歯牙に加わる外圧に対してもアバットメントの下部締結軸部の弾性締結脚が堅固に支持されることができ、固定体上にアバットメントを強い弾性締結力で結合した状態で堅く維持することができ、よって大径の固定体を植え立てるために追加の骨移植術が不要であってインプラント施術が容易になり、施術後にはインプラント構造物の耐久性が大きく向上してインプラントの使用寿命を延ばすように改善された歯科用インプラントを提供することにある。
【課題を解決するための手段】
【００１５】
上記の目的を達成するために、本発明は、上部に軸孔が形成され、内部にガイドホールが形成され、顎骨に植え立てられる固定体；及び前記固定体の軸孔に挿入されて前記固定体と弾性的に結合される下部締結軸と補綴物が装着される上部装着部からなるアバットメント；を含む歯科用インプラントであって、前記アバットメントの下部締結軸部に切開部によって複数の弾性脚が形成され、前記複数の弾性脚は、締結溝、締結突起または締結段部のような締結手段を備え、固定体の対応締結部に締結される弾性締結脚と前記締結手段を備えていない非締結支持脚との機能の相異なる二つの弾性脚を持つことを特徴とする。
【００１６】
好ましくは、前記アバットメントの下部締結軸部において、前記弾性締結脚と非締結支持脚はそれぞれ一つずつ形成されるとか複数ずつ形成されることができ、切開部を中心に隣り合って形成されることができ、前記非締結支持脚は前記弾性締結脚より短いとか、前記弾性締結脚と同一であるとか、あるいは前記弾性締結脚より長い長さに形成される。
【００１７】
より好ましくは、前記弾性締結脚に形成された締結突起または締結溝のような締結手段は、固定体の軸孔内側面の円周方向全域にわたって前記締結手段に対応して環形に形成された締結溝または締結突起のような対応締結部に結合されることにより、締結方向に関係なく装着可能である。
【００１８】
本発明の他の実施例によれば、上部に軸孔が形成され、内部にガイドホールが形成され、顎骨に植え立てられる固定体；及び前記固定体の軸孔に挿入されて前記固定体と弾性的に結合される下部締結軸と補綴物が装着される上部装着部からなるアバットメント；を含む歯科用インプラントであって、前記アバットメントは、固定体の軸孔内側面に形成された対応締結部に結合される締結突起または締結溝のような締結手段を備えた弾性締結脚がただ一つだけ形成され、固定体の上端部位と接触する地点Ｋと固定体のガイドホールを全く満たす弾性締結脚が始まる地点まで反り許容空間なしに支持部が形成され、前記締結脚が反れるようにする切断部が前記締結脚に隣り合って形成されたことを特徴とする。
【００１９】
好ましくは、固定体に挿入される前記アバットメントは、固定体と結合されたとき、固定体の上端面と会う地点から弾性締結脚が始まる地点までの距離（支持部）が弾性締結脚の長さより長いことを特徴とする。
【００２０】
本発明のさらに他の実施例によれば、上部に軸孔が形成され、内部にガイドホールが形成され、顎骨に植え立てられる固定体；及び前記固定体の軸孔に挿入されて前記固定体と弾性的に結合される下部締結軸と補綴物が装着される上部装着部からなるアバットメント；を含む歯科用インプラントであって、前記アバットメントは固定体の軸孔内側面に形成された対応締結部に結合する複数の締結脚を含み、前記締結脚が反れるようする切開部が前記複数の締結脚の間に形成され、前記それぞれの締結脚に形成された締結突起は互いに異なる大きさに形成されたことを特徴とする。
【００２１】
本発明のさらに他の実施例によれば、上部に軸孔が形成され、内部にガイドホールが形成され、顎骨に植え立てられる固定体；及び前記固定体の軸孔に挿入されて前記固定体と弾性的に結合される下部締結軸と補綴物が装着される上部装着部からなるアバットメント；を含む歯科用インプラントであって、前記アバットメントは、固定体の軸孔内側面に形成された対応締結部に結合する複数の締結脚を含み、前記締結脚が反れるようにする切開部が前記複数の締結脚の間に形成され、前記それぞれの締結脚に形成された締結溝や締結突起からなる締結手段が上下に垂直方向への位置が異なることを特徴とする。
【発明の効果】
【００２２】
本発明によれば、患者の歯槽骨の厚さが小さくて直径の小さな構造の固定体とアバットメントのインプラントを施術しなければならない場合、従来の構造に比べて小径の固定体に挿入されるアバットメントに形成される締結脚の厚さを大きく確保するとか締結手段の大きさを増加させることができる構造である。
【００２３】
したがって、アバットメントの弾性締結脚の剛性を大きく確保することができるので、小径の歯科用インプラントに加わる外圧に対しても堅固に支持されることができ、さらに固定体上にアバットメントを強い弾性締結力で結合させることができ、小径のインプラントでも充分に構造的安全性を確保することができるので、薄い歯槽骨に無理に大径の固定体（ｆｉｘｔｕｒｅ）を植え立てるために、複雑で、失敗率が高くて追加の費用が発生する歯槽骨移植術を施術しなくてもインプラントを植え立てることができ、インプラント施術が容易であり、施術後にはインプラント構造物の耐久性が大きく向上してインプラントの使用寿命を延ばすことができ、従来技術によっては植え立てることができなかった小さい歯槽骨部位にも易しく植え立てることができるインプラントを製造することができる効果を有する。
【図面の簡単な説明】
【００２４】
【図１】従来の技術による歯科用インプラントに必要な反り許容空間Ｗと締結脚の外力による脆弱な構造的な問題点を示して説明した側断面図である。
【図２】本発明によって、アバットメントの下部締結軸部に締結手段を持つ単一弾性締結脚とその対向側の単一弾性締結脚が固定体と結合するときに反れるように許される反り許容空間Ｗが確保された切断部を持つ歯科用インプラントを示す分解斜視図である。
【図３】（ａ）は、本発明による歯科用インプラントにおいて、一つの弾性締結脚の締結突起が固定体の軸孔の内側面に円周方向にかけて形成された対応締結溝に結合されることによって装着可能な構造を示す側断面図である。（ｂ）は、本発明による歯科用インプラントにおいて、一つの弾性締結脚の締結溝が固定体の軸孔内部で円周方向にわたって形成された対応締結突起に結合されることにより、締結方向に関係なく装着可能な構造を示す側断面図である。
【図４】（ａ）は、本発明による歯科用インプラントにおいて、弾性締結脚の反対側に非締結支持脚を備え、弾性締結脚より短い長さに形成された構造を示す斜視図である。（ｂ）は、（ａ）に示した歯科用インプラントを示す側断面図で、（ａ）に示した歯科用インプラントにおいて非締結支持脚の厚さ差を区分して示す側断面図である。
【図５】（ａ）は、本発明による歯科用インプラントにおいて、弾性締結脚の反対側に非締結支持脚を備え、締結脚と同一の長さに形成された構造を示す斜視図である。（ｂ）は、（ａ）に示した歯科用インプラントを示す側断面図である。
【図６】（ａ）は、本発明による歯科用インプラントにおいて、複数の締結脚に設けられたそれぞれの締結突起が相異なる大きさに形成された構造を示す側断面図である。（ｂ）は、本発明による歯科用インプラントにおいて、複数の締結脚に設けられたそれぞれの締結突起が相異なる大きさ及び高さに形成された構造を示す側断面図である。
【図７】本発明による歯科用インプラントにおいて、弾性締結脚の締結突起が固定体の締結溝に結合される構造を示す参照図である。
【発明を実施するための形態】
【００２５】
以下、本発明の好適な実施例を図面に基づいてより詳細に説明する。
【００２６】
本発明による歯科用インプラント１００は、図２に示したように、上部に軸孔１１２が形成され、内部にガイドホールが形成され、歯槽骨に植え立てられる固定体１１０、及び前記固定体１１０の軸孔１１２に挿入され、前記固定体１１０と弾性的に結合される下部締結軸１２２と補綴物（図示せず）が装着される上部装着部１２４からなるアバットメント１２０を含む。このような基本的な構造は従来の構造と同様である。
【００２７】
しかし、本発明は従来構造とは違い、前記アバットメント１２０は、固定体１１０の軸孔１１２の内部に結合する締結突起１３２または締結溝１３４を備えた弾性締結脚１３０が下部締結軸１２２にただ一つのみ形成され、前記締結脚１３０が反れるようにする切断部１４０または切断空間が前記締結脚１３０に隣接して形成された構造である。
【００２８】
このような本発明は、下部締結軸１２２の円周方向一部区間に部分的にただ一つだけの弾性締結脚１３０を備えるため、複数ないし多数の締結脚２２が円周方向全域にわたって形成された従来の構造とは違うものである。
【００２９】
したがって、図１に示したような従来の構造において削除された一部の締結脚２２、及びその締結脚２２に形成された締結突起２４などが占めた空間を確保して十分な反り許容空間を確保することで、本発明の締結脚１３０の厚さと締結手段の大きさをさらに拡大させることができるので、締結脚１３０の剛性を大幅に確保することができる。
【００３０】
このような本発明の締結脚１３０構造においては、図３ａに示したように、例えば一つの締結脚１３０からなることができ、このような締結脚１３０に形成された締結突起１３２が固定体１１０の軸孔１１２の内側面に円周方向にかけて形成された締結溝１４４に結合されることで、締結方向に関係なく装着可能であるのはいうまでもない。
【００３１】
また、このような構造においては必須に前記下部締結軸１２２の締結脚１３０の上部側に支持部１０２が固定体１１０の軸孔１１２の内部に同軸上に挿入できるので、固定体１１０との結合が一層安定的になされ、外力に対して安定的に支持できる。
【００３２】
このような本発明の構造は、図３ｂに示したように、前記締結脚１３０の締結突起１３２の代わりに締結溝１３４が締結脚１３０に形成され、固定体１１０の軸孔１１２の内側面一部区間に円周方向にわたって締結突起１４２が形成されることにより、締結溝１３４と締結突起１４２が相互間の締結方向に関係なく装着可能に形成できる。
【００３３】
そして、固定体に全く締結されたとき、固定体の上端部位と接触する地点ｋから弾性締結脚が始まる地点までの支持部１０２の長さが弾性締結脚の長さより長い場合、アバットメントを固定体の軸孔の内部にもっと安定的で容易に挿入させることができる。
【００３４】
そして、本発明において、図４ａ及び図４ｂの左側に示したように、前記アバットメント１２０は、前記切開部１４０を中心に前記弾性締結脚１３０とその反対側の非締結支持脚１５０とを備えた構造になることができる。このような構造において、前記切開部１４０はその幅が従来の反り許容空間の幅より著しく小さなものであり、前記支持脚１５０は前記締結脚１３０より短い長さに形成されるものである。
【００３５】
このような本発明の構造においては、非締結支持脚１５０の外面に何らの締結手段１３２も形成されていないので、従来の構造において複数の弾性脚の間にもっと多く必要であった反り許容空間が減ることにより、前記弾性締結脚１３０の厚さをさらに大きく拡大させるとか締結手段の大きさを増やすことができ、弾性締結脚１３０の剛性及び締結力を大きく確保することができる。
【００３６】
他の方法で、前記非締結支持脚１５０はその厚さｔが、図４ｂの右側に断面で示したように、弾性締結脚１３０の厚さＴより薄い構造に形成されたものであることができる。そして、このような非締結支持脚１５０は前記締結脚１３０より短い長さに形成されたものである。
【００３７】
このような本発明の構造においては、非締結支持脚１５０に何らの締結突起１３２も形成されていないので、薄くなった弾性非締結支持脚１５０の厚さ、そして従来の構造において複数の弾性締結脚の間にもっと多く必要であった反り許容空間が減ることにより、弾性締結脚１３０の厚さＴをさらに大きく拡大させるとか締結手段の大きさを増やすことができ、締結脚１３０の剛性及び締結力を一層大きく確保することができる。
【００３８】
また、本発明は、前記非締結支持脚１５０が、図５ａ及び図５ｂに示したように、前記弾性締結脚１３０と同じ長さに形成できる。
【００３９】
このような構造においても、本発明は、従来の構造においてもっと多く必要であった反り許容空間が減ることによって、締結脚１３０の厚さをさらに大きく拡大させることができ、締結脚１３０の剛性を大きく確保することができる。
【００４０】
このように、弾性締結脚１３０と弾性非締結支持脚１５０が形成されれば、アバットメント１２０の下部締結軸１２２が固定体１１０の軸孔１１２の内部にもっと安定した状態で挿入できるので、外力に対して一層安定的に抵抗することができる。
【００４１】
一方、本発明は前記とは異なる変形構造によって締結脚１３０の厚さを確保することができる。例えば、図６ａに示したように、前記アバットメント１２０は、固定体１１０の軸孔１１２の内部で結合する複数の締結脚１３０ａ、１３０ｂと、前記締結脚１３０ａ、１３０ｂが反れるようにする切開部１４０が前記複数の締結脚１３０ａ、１３０ｂの間に形成され、前記それぞれの締結脚１３０ａ、１３０ｂに形成された締結突起１３２ａ、１３２ｂは互いに異なる大きさｄ１、ｄ２に形成されたものである。
【００４２】
このような構造においては、締結脚１３０ａ、１３０ｂに形成された締結突起１３２ａ、１３２ｂのいずれか一方は従来のものより小さく形成することができ、その減少した締結突起の大きさの分だけ反り許容空間Ｗの大きさを減らすことができ、その減った大きさの分だけ、弾性締結脚の厚さを大きく拡大させることができる、したがって、このような構造においても締結脚１３０ａ、１３０ｂの剛性を増大させることができる。
【００４３】
また、前記複数の締結脚１３０ａ、１３０ｂは、図６ｂに示したように、互いに異なる長さに形成され、それぞれの締結突起１３２ａ、１３２ｂは上下に高さ差ｈを有する構造であることができる。このような構造も反り許容空間を減らすことができ、その減ったサイズの分だけ弾性締結脚の厚さを増大するとか締結手段の大きさを増大することができる。そして、このような構造においても、締結脚１３０ａ、１３０ｂに形成された締結突起１３２ａ、１３２ｂのいずれか一方は従来のものより小さく形成でき、その減少した厚さの分だけ締結脚１３０ａ、１３０ｂの厚さを大きく拡大させることができる。
【００４４】
一方、図７は本発明による歯科用インプラントにおいて、弾性締結脚の締結突起が固定体の締結溝に結合される構造を示す参照図である。
【００４５】
図７を参照すれば、アバットメント１２０の下部締結軸部１２２が固定体１１０の軸孔に結合されるに当たり、前記下部締結軸部１２２の弾性締結脚１３０に形成された締結突起１３２が固定体の軸孔内面に形成された締結溝１４４と噛み合って締結されるためには、下部締結軸部の外径より大きな外径を持って外側に突出するように形成されなければならない。したがって、アバットメントの下部締結軸部の締結突起１３２の部位が固定体の軸孔内部に挿入されるとき、弾性締結脚１３０に形成された締結突起１３２は内側方向に反りながら押し込まれ、前記締結突起１３２が噛み合う固定体の対応締結部、つまり締結溝１４４に到逹すれば、弾性締結脚そのものの弾性によって締結突起１３２が固定体の締結溝１４４と噛み合って堅固に締結される。
【００４６】
以上、本発明を図面を参照して特定の実施例について詳細に説明したが、本発明はこのような特定の構造に限定されるものではない。当該分野で通常の知識を持った者であれば、以下の特許請求範囲に記載された本発明の技術思想及び権利範囲を逸脱しない範疇内で本発明を多様に修正または変更させることができるであろう。例えば、前記締結脚１３０は一つからなることができるのはもちろんのこと、上下方向に切開されて多数に分割されて構成されることも可能であろう。しかし、前記締結脚１３０が下部締結軸１２２の円周方向全域にわたって形成されないで一部にわたって形成されるとか、あるいは締結脚１３０の締結突起１３２または締結溝１３４が下部締結軸１２２の円周方向全域にわたって形成されないで円周方向への一部区間にわたって形成されるような修正または変形構造は全て本発明の権利範囲内に属するものであることを予め明かしておこうとする。一方、図示しなかったが、本発明は、アバットメントの下部締結軸部の特定部位に、アバットメントの回転防止のために多角形の形状をさらに備え、その多角形の形状と対応する形状を持つことで、前記アバットメントの下部締結軸部を収容するように固定体の軸孔内面を形成することもできるのはいうまでもない。また、図示しなかったが、本発明の弾性締結脚及び／または非締結支持脚はパイプ（管）形の脚を垂直方向に切断して形成することができるのはもちろんのこと、弾性締結脚及び非締結支持脚を成す脚の形状及び模様に制限されない。その結果、それぞれの機能、つまり弾性締結脚はアバットメントを固定体と弾性的に結合させる機能を、非締結支持脚は締結手段を備えないながらアバットメントを支持する機能をするものであれば、いずれも本発明の権利範囲の均等範囲内にあるものに解釈されるべきであろう。
【図１】
0006291063.tif 000002
【図２】
0006291063.tif 000003
【図３（ａ）】
0006291063.tif 000004
【図３（ｂ）】
0006291063.tif 000005
【図４（ａ）】
0006291063.tif 000006
【図４（ｂ）】
0006291063.tif 000007
【図５（ａ）】
0006291063.tif 000008
【図５（ｂ）】
0006291063.tif 000009
【図６（ａ）】
0006291063.tif 000010
【図６（ｂ）】
0006291063.tif 000011
【図７（ａ）】
0006291063.tif 000012
【図７（ｂ）】
0006291063.tif 000013